(57)【要約】      （修正有）【課題】着用者が簡易に胴回りに装着することができるボトムスを提供する。【解決手段】ウエスト部１２は、第１の面ファスナー部材１３ａと第２の面ファスナー部材１３ｂを貼り付けること及び剥がすことが自在であり、面的に着脱するように構成された面ファスナー１３を有している。第１の面ファスナー部材と第２の面ファスナー部材の表面が貼りあわされて係合されることで、ウエスト部は、着用者Ｈの胴回りＷに密着し固定される。【選択図】図１
0003202582.tif 000002
【実用新案登録請求の範囲】
【請求項１】
着用者の下半身を覆うように形成されている本体部と、前記本体部と一体的に形成され前記着用者の胴回りを覆うように形成されている右側部分及び左側部分を備えたウエスト部とを有し、前記着用者が前記下半身に着衣するボトムスであって、
前記ウエスト部は、第１の面ファスナー部材と第２の面ファスナー部材を貼り付けること及び剥がすことが自在であり、面的に着脱するように構成された面ファスナーを有し、
前記第１の面ファスナー部材は前記右側部分に固着され、前記第２の面ファスナー部材は前記左側部分に固着され、前記第１の面ファスナー部材と前記第２の面ファスナー部材が対向するように構成され、
前記第１の面ファスナー部材と前記第２の面ファスナー部材が係合されることで、前記ウエスト部が前記胴回りに固定されることを特徴とするボトムス。
【請求項２】
前記下半身に着衣するものは、ズボンであることを特徴とする請求項１に記載のボトムス。
【請求項３】
前記ズボンには、天狗の鼻が設けられており、前記天狗の鼻と前記ウエスト部に、前記面ファスナーが追加され固着されていることを特徴とする請求項２に記載のボトムス。
【請求項４】
前記下半身に着衣するものは、スカートであることを特徴とする請求項１に記載のボトムス。
【請求項５】
前記第１の面ファスナー部材と前記第２の面ファスナー部材は、フック状係合素子またはループ状係合素子を有し、前記ウエスト部に縫い付けられ固着されていることを特徴とする請求項１から請求項４のいずれか１項に記載のボトムス。
【請求項６】
前記ウエスト部に固着されている前記第１の面ファスナー部材と前記第２の面ファスナー部材は、縦が略２５ｍｍ及び横が略７０ｍｍに形成されていることを特徴とする請求項５に記載のボトムス。
【請求項７】
前記ウエスト部には、複数の前記面ファスナーが、固着されていることを特徴とする請求項１から請求項６のいずれか１項に記載のボトムス。
【請求項８】
高齢者用のものであることを特徴とする請求項１から請求項７のいずれか１項に記載のボトムス。
【考案の詳細な説明】
【技術分野】
【０００１】
本考案は、ボトムスに関する。
【背景技術】
【０００２】
一般的にズボンなどの下半身に着衣するボトムスは、身体条件が異なる着用者が着用できるように製作されており、例えば、ズボンのウエスト部にベルトを装着し、着用者の胴回りに固定させるのが一般的である。
【考案の概要】
【考案が解決しようとする課題】
【０００３】
上記のとおりズボンなどのボトムスにおいては、一般的にベルトを用いて胴回りに固定させているが、より簡易なものが求められており、特に高齢者において、簡易に脱着でき、調整が可能なものが求められている。
【０００４】
そこで本考案は、このような課題を解決するためになされたもので、着用者が簡易に胴回りに装着することができるボトムスを提供する。
【課題を解決するための手段】
【０００５】
上記課題を解決するために、本考案に係るボトムスは、着用者の下半身を覆うように形成されている本体部と、前記本体部と一体的に形成され前記着用者の胴回りを覆うように形成されている右側部分及び左側部分を備えたウエスト部とを有し、前記着用者が前記下半身に着衣するボトムスであって、前記ウエスト部は、第１の面ファスナー部材と第２の面ファスナー部材を貼り付けること及び剥がすことが自在であり、面的に着脱するように構成された面ファスナーを有し、前記第１の面ファスナー部材は前記右側部分に固着され、前記第２の面ファスナー部材は前記左側部分に固着され、前記第１の面ファスナー部材と前記第２の面ファスナー部材が対向するように構成され、前記第１の面ファスナー部材と前記第２の面ファスナー部材が係合されることで、前記ウエスト部が前記胴回りに固定されることを特徴とする。
【０００６】
本考案に係るボトムスの態様について、前記下半身に着衣するものは、ズボンであることが好ましい。
【０００７】
本考案に係るボトムスの態様について、前記ズボンには、天狗の鼻が設けられており、前記天狗の鼻と前記ウエスト部に、前記面ファスナーが追加され固着されていることが好ましい。
【０００８】
本考案に係るボトムスの態様について、前記下半身に着衣するものは、スカートであることが好ましい。
【０００９】
本考案に係るボトムスの態様について、前記第１の面ファスナー部材と前記第２の面ファスナー部材は、フック状係合素子またはループ状係合素子を有し、前記ウエスト部に縫い付けられ固着されていることが好ましい。
【００１０】
本考案に係るボトムスの態様について、前記ウエスト部に固着されている前記第１の面ファスナー部材と前記第２の面ファスナー部材は、縦が略２５ｍｍ及び横が略７０ｍｍに形成されていることが好ましい。
【００１１】
本考案に係るボトムスの態様について、前記ウエスト部には、複数の前記面ファスナーが、固着されていることが好ましい。
【００１２】
本考案に係るボトムスの態様について、高齢者用のものであることが好ましい。
【考案の効果】
【００１３】
本考案のボトムスは、着用者が簡易に胴回りに装着することが可能なボトムスを提供することができる。
【図面の簡単な説明】
【００１４】
【図１】実施形態のズボンを示す模式図である。
【図２】実施形態のズボンの他の一例を示す模式図である。
【図３】実施形態のズボンの他の一例を示す摸式図である。
【図４】実施形態のズボンの例を示す参考図である。
【考案を実施するための形態】
【００１５】
以下、本考案の実施形態を図１から図４を用いて説明する。
【００１６】
図１(ａ)に示すように、ボトムスの一例としてのズボン１０は、着用者Ｈの下半身Ｋを覆うように形成されている本体部１１と、本体部１１と一体的に形成され着用者Ｈの胴回りＷを覆うように形成されているウエスト部１２を有しており、着用者Ｈが下半身Ｋに着衣するものである。
【００１７】
上記のウエスト部１２は、右側の領域である右側部分１２ａ及び左側の領域である左側部分１２ｂから構成されており、第１の面ファスナー部材１３ａと第２の面ファスナー部材１３ｂを貼り付けること及び剥がすことが自在であり、面的に着脱するように構成された面ファスナー１３を有している。なお、ウエスト部１２には、右側部分１２ａと左側部分１２ｂのそれぞれに端部が設けられており、これらの端部の間が開口となるように構成されている。
【００１８】
実施形態においては、図１（ａ）に示すように、第１の面ファスナー部材１３ａが右側部分１２ａに固着され、第２の面ファスナー部材１３ｂが左側部分１２ｂに固着されており、第１の面ファスナー部材１３ａと第２の面ファスナー部材１３ｂは、対向するように構成されている。
【００１９】
図１（ｂ）に示すように、第１の面ファスナー部材１３ａと第２の面ファスナー部材１３ｂは、表面が貼りあわされて係合されることで、ウエスト部１２が胴回りＷに固定され、ズボン１０が着用者Ｈの下半身Ｋに装着されるように構成されている。
【００２０】
すなわち、図１に示すように、図１(ａ)の状態、つまり着衣者Ｈがズボン１０を着衣しようとしている状態から、図１（ｂ）の状態、つまり着衣者Ｈがズボン１０を下半身Ｋに着衣し、ウエスト部１２が胴回りＷに固定されている状態になるように構成されている。
【００２１】
また、着衣者Ｈは、図１（ｂ）の状態で、第１の面ファスナー部材１３ａと第２の面ファスナー部材１３ｂとの係合状態を調整することで、胴回りＷに対するウエスト部１２の装着状態を快適なものにすることができる。
【００２２】
上記の第１の面ファスナー部材１３ａと第２の面ファスナー部材１３ｂは、例えば、フック状係合素子とループ状係合素子を組み合わせたものでもよいが、これに限定されず、第１の面ファスナー部材１３ａと第２の面ファスナー部材１３ｂが係合できるような機能を有するものであればよく、また、第１の面ファスナー部材１３ａと第２の面ファスナー部材１３ｂは、ウエスト部１２に縫い付けることで固着するようにしてもよいが、これに限定されず、接着、圧着などで固着してもよい。
【００２３】
例えば、ウエスト部１２に縫い付けられ固着されている第１の面ファスナー部材１３ａと第２の面ファスナー部材１３ｂは、縦が略２５ｍｍ及び横が略７０ｍｍになるように形成してもよいが、これに限定されず、ズボン１０に合わせた最適な大きさであればよい。
【００２４】
上記の実施形態では、第１の面ファスナー部材１３ａと第２の面ファスナー部材１３ｂからなる面ファスナー１３は、単一であるがこれに限定されず、図２に示すように、ウエスト部１２に、複数の面ファスナー１３を固着してもよい。
【００２５】
このように複数の面ファスナー１３を用いることで、ウエスト部１２と胴回りＷの密着性をより強固なものにすることができる。
【００２６】
また、いわゆるズボンの天狗の鼻、つまりズボンの内側に設けられている天狗の鼻１１ａを有する場合には、図３に示すように、天狗の鼻１１ａとウエスト部１２に、面ファスナー１３を追加し固着してもよい。
【００２７】
図４は、ズボン１０に、２組の面ファスナー１３が縫い付けられた例を示す参考図であり、この参考図では、第１の面ファスナー部材１３ａにフック状係合素子が用いられており、また、第２の面ファスナー部材１３ｂにループ状係合素子が用いられている。
【００２８】
上記の説明のとおり、実施形態のズボン１０は、胴回りＷへの着脱や調整が簡易にできることより、高齢者用のものとしてもよく、高齢者や身体の不自由な着衣者Ｈにとっては、例えば、人手に頼ることなくズボン１０を着用することができ、外出などにおいても苦慮することなく使用でき生活をより快適なものにすることができる。
【００２９】
上記のとおり、実施形態のボトムスはズボンを一例として説明しているが、これに限定されず、例えば、スカート、袴など下半身に着衣するものであればよい。
【００３０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３１】
また、ズボンなどのボトムスの種類、大きさや形状、素材の厚さ、重さなどについては多様な実施形態が可能であり、それらについて本実施形態と異なる形態による実施は、本考案の技術的範囲に含まれる。
【符号の説明】
【００３２】
１０    ズボン
１１    本体部
１１ａ  天狗の鼻
１２    ウエスト部
１２ａ  右側部分
１２ｂ  左側部分
１３    面ファスナー
１３ａ  第１の面ファスナー部材
１３ｂ  第２の面ファスナー部材
Ｈ      着用者
Ｋ      下半身
Ｗ      胴回り
【図１】
0003202582.tif 000003
【図２】
0003202582.tif 000004
【図３】
0003202582.tif 000005
【図４】
0003202582.tif 000006